(57)【要約】      （修正有）【課題】従来のゴミ箱は用途に合ったゴミ箱を用いている、更にそれぞれ固形化して居りゴミ箱自体が嵩高い、ゴミを処理する時も予めゴミ箱にゴミ袋（ビニール袋等）を敷いている、又ゴミ箱よりゴミ入り袋を取り出す手間もかかる。本考案はゴミ箱を使用せずゴミ袋（ビニール袋等）にワッパーで開口部を作りゴミ袋（ビニール袋等）を容器とした。又本体を折りたたみ縮小式を目的としたものである。【解決手段】本体脚を固定金具で垂直に建てる、固定金具ビスで固定する、ワッパーを固定金具で水平にする、固定金具ビスで固定する、ゴミ袋（ビニール袋等）をワッパー（溝付きワッパー）の溝に押え金具でゴミ袋の開口部を挟む、この状態でゴミ袋は容器となりゴミを投入することが出来る。ゴミ入り袋を処理する時は押え金具を外しゴミ袋をワッパーより外して処理をする。【選択図】なし【実用新案登録請求の範囲】
【請求項１】
ゴミ袋（ビニール袋等）の開口部分にワッパー（４）を取り付け、ワッパー付きゴミ袋を架台に取り付け容器とした簡易ゴミ箱。
【考案の詳細な説明】
【技術分野】
【０００１】本考案はゴミ箱のゴミ処理を簡素化にすることに関するものである。
【背景技術】
【０００２】ゴミ箱は各々の用途に合ったさまざまな形で固形化している、ゴミ箱のゴミを処理する時もゴミ袋（ビニール袋等）に入れて処理している。
【考案の開示】
【考案が解決しようとする課題】
【０００３】解決しようとする問題点は、ゴミ箱のゴミを処理する時予めゴミ袋（ビニール袋等）を敷いて居り又そのゴミ入り袋を取り出す手間の点である。
【考案を解決しようとする手段】
【０００４】本考案の実施例として、ゴミ箱のゴミを迅速に処理したい場合、従来のゴミ箱では予めゴミ袋（ビニール袋等）を敷いてゴミを捨てる状態にしている、又取り出す時もゴミ箱よりゴミ入り袋を取り出す手間がかかる。本考案はゴミ袋（ビニール袋等）にワッパーで開口部を作リゴミ袋を容器として直にゴミを捨てる構造。例えば催物会場、キャンプ地等で出るゴミは公共的なゴミ箱を設置することより簡易ゴミ箱の方がベストである、本案は折りたたみ構造となっているので持ち運びが容易で場所をとらない、ゴミ箱を使用せずゴミ袋（ビニール袋等）にゴミを入れて手早く処理することを考慮したものである。
【考案の効果】
【０００５】本考案はゴミ箱は使用せずゴミ袋（ビニール袋等）を容器として取り出す手間の改善をする、ゴミ袋（ビニール袋等）を取付ける架台は折りたたみ縮小構造とし持ち運び取り扱い場所が容易となる。
【考案を実施するための最良の形態】
【０００６】ゴミ箱を使用しない、ゴミ袋（ビニール袋等）にワッパー付き開口部を設けることでゴミ袋（ビニール袋等）を容器にし簡易ゴミ箱とした。又従来のゴミ箱の嵩高を解消するために架台を折りたたみ縮小構造にし使用しない時の置き場所を最小に実現した。
【実施例】
【０００７】図１は本考案の正面図であって、図２は側面図、図３は平面図を示す、図２の固定金具（２）で本体脚（１）を建てる、（６）固定金具ビスで固定する。図３の固定金具（３）でワッパーを水平にし（７）固定金具ビスで固定する。ワッパーは図３平面から見て円形の状態となる。ゴミ袋（ビニール袋等）はワッパー（溝付きワッパー）に沿って開口部を作る、ゴミ袋の開口部はワッパーの溝に折り曲げて取り付けワッパーの溝にある押え金具（５）で固定する、ゴミ袋の容器が出来る。ワッパーの平面よりゴミを投入する。ゴミ入り袋を処理する時は押え金具（５）を外し、ゴミ入り袋をワッパーより外す。図４架台を折りたたむ時各々固定金具ビス（６）（７）を緩め（２）（３）の金具を外し縮小する。ゴミを入れ易くする時ワッパーを水平より角度を可変することも可能。
【産業上の利用可能性】
【０００８】一時的に出るゴミの処理に公共的なゴミ箱を設置することは経済性や設置場所が制約される場合が多い、簡易ゴミ箱にすればゴミ袋の取り替えが容易なため環境問題にも寄与することが出来る、ゴミ箱の移動式を可能にした。
【図面の簡単な説明】
【０００９】
【図１】架台の正面図
【図２】架台の側面図
【図３】架台の平面図
【図４】架台の折りたたみ縮小図
【符号の説明】
【００１０】（１）は本体脚  （２）は本体脚固定金具  （３）はワッパー固定金具  （４）ワッパー  （５）はワッパー溝内押え金具  （６）は本体脚固定金具ビス  （７）はワッパー固定金具ビス  （８）は底板  （９）は当て板
【図１】
0003104612.tif 000002
【図２】
0003104612.tif 000003
【図３】
0003104612.tif 000004
【図４】
0003104612.tif 000005
【図５】
0003104612.tif 000006
【手続補正書】
【提出日】平成16年4月21日(2004.4.21)
【手続補正１】
【補正対象書類名】実用新案登録請求の範囲
【補正対象項目名】全文
【補正方法】変更
【補正の内容】
【実用新案登録請求の範囲】
【請求項１】
ビニール袋等ゴミ袋の開口部分に溝付輪（４）を取り付け、溝付輪（４）付きゴミ袋を架台に取り付け容器とした簡易ゴミ箱。
【手続補正２】
【補正対象書類名】明細書
【補正対象項目名】全文
【補正方法】変更
【補正の内容】
【考案の詳細な説明】
【技術分野】
【０００１】本考案はゴミ箱のゴミ処理を簡素化にすることに関するものである。
【背景技術】
【０００２】ゴミ箱は各々の用途に合ったさまざまな形で固形化している、ゴミ箱のゴミを処理する時もビニール袋等に入れて処理している。
【考案の開示】
【考案が解決しようとする課題】
【０００３】解決しょうとする問題点は、ゴミ箱のゴミを処理する時予めビニール袋等ゴミ袋を敷いて居り又そのゴミ入り袋を取り出す手間の点である。
【考案を解決しようとする手段】
【０００４】本考案の実施例として、ゴミ箱のゴミを迅速に処理したい場合、従来のゴミ箱では予めビニール袋等を敷いてゴミを捨てる状態にしている、又取り出す時もゴミ箱よりゴミ入り袋を取り出す手間がかかる。本考案はビニール袋等ゴミ袋の開口部分に溝付輪を取り付け、溝付輪付きゴミ袋を架台に取り付け容器として直接ゴミを捨てる構造。例えば催物会場、キャンプ地等で出るゴミは公共的なゴミ箱を設置することより簡易ゴミ箱の方がベストである、本案は折りたたみ構造となっているので持ち運びが容易で場所をとらない、ゴミ箱を使用せずビニール袋等にゴミを入れて手早く処理することを考慮したものである。
【考案の効果】
【０００５】本考案はゴミ箱を使用せずビニール袋等を容器として取り出す手間の改善をする、ビニール袋等を取り付ける架台は折りたたみ縮小構造とし持ち運び取り扱いが容易となる。
【考案を実施するための最良の形態】
【０００６】ゴミ箱を使用しない、ビニール袋等ゴミ袋の開口部分に溝付輪を取り付け溝付輪付きゴミ袋を架台に取り付け容器にし簡易ゴミ箱とした。又従来のゴミ箱の嵩高を解消するために架台を折りたたみ縮小構造にし使用しない時の置き場所を最小に実現した。
【実施例】
【０００７】図１は本案の正面図であって、図２は側面図、図３は平面図を示す、図２の（２）本体脚固定金具で（１）本体脚を建てる、（６）固定金具ビスで固定する。図３の（３）溝付輪固定金具で（４）溝付輪を水平にし（７）固定金具ビスで固定する。（４）溝付輪は図３平面から見て円形の状態となる。ビニール袋等の開口部分を溝付輪に沿って開口部を作る、ゴミ袋の開口部は（４）溝付輪の溝に折り曲げて取り付け（４）溝付輪の溝にある（５）押え金具で固定する、ビニール袋の容器が出来る。（４）溝付輪の平面よりゴミを投入する。ゴミ入り袋を処理する時は（５）押え金具を外し、ゴミ入り袋を（４）溝付輪より外す。図４架台を折りたたむ時各々（６）（７）固定金具ビスを緩め（２）（３）の固定金具を外し縮小する。ゴミを入れ易くする時（４）溝付輪を水平より角度を可変することも可能。
【産業上の利用可能性】
【０００８】一般的に出るゴミの処理に公共的なゴミ箱を設置することは経済性や設置場所が制約される場合が多い、簡易ゴミ箱にすればゴミ袋の取り替えが容易なため環境問題にも寄与することが出来る、ゴミ箱の移動式を可能にした。
【図面の簡単な説明】
【０００９】
【図１】    架台の正面図
【図２】    架台の側面図
【図３】    架台の平面図
【図４】    架台の折りたたみ縮小図
【図５】    ビニール袋等を装着した斜視図
【符号の説明】
【００１０】（１）は本体脚  （２）は本体脚固定金具（３）は溝付輪固定金具（４）は溝付輪（５）は溝付輪の溝内押え金具  （６）は本体脚固定金具ビス（７）は溝付輪固定金具ビス  （８）は底板  （９）は当て板
【手続補正３】
【補正対象書類名】図面
【補正対象項目名】全図
【補正方法】変更
【補正の内容】
【図１】
0003104612.tif 000007
【図２】
0003104612.tif 000008
【図３】
0003104612.tif 000009
【図４】
0003104612.tif 000010
【図５】
0003104612.tif 000011